(57)【要約】【課題】２個印が押印されている場合であっても、取消し線が重ね書きされた印影ではなく、押印し直した印影を正しい照合印影画像として抽出することで、印影照合の照合率を向上させることが可能な印影照合プログラム、印影照合装置及び印影照合方法を提供すること。【解決手段】画像読取装置で読み取った媒体上に押印された印鑑の印影を印影画像データとして入力し、前記入力した印影画像データから、円形状検出処理を用いて印鑑枠相当部分を抽出し、前記入力した印影画像データから、前記抽出した印鑑枠相当部分の外周に接続する印鑑枠外周接続線を抽出し、印鑑枠外周接続線を抽出した場合、前記入力した印影画像データを、データベースに登録された登録印影画像と照合するための照合印影画像として適切でないと判断する。【選択図】図３
2013073579.tif 000002
【特許請求の範囲】
【請求項１】
印影照合装置のコンピュータを、
画像読取装置で読み取った媒体上に押印された印鑑の印影を印影画像データとして入力する印影入力手段、
前記印影入力手段が入力した印影画像データから、円形状検出処理を用いて印鑑枠相当部分を抽出する印鑑枠抽出手段、
前記印影入力手段が入力した印影画像データから、前記印鑑枠抽出手段が抽出した印鑑枠相当部分の外周に接続する印鑑枠外周接続線を抽出する印鑑枠外周接続線抽出手段、
前記印鑑枠外周接続線抽出手段が印鑑枠外周接続線を抽出した場合、前記印影入力手段が入力した印影画像データを、データベースに登録された登録印影画像と照合するための照合印影画像として適切でないと判断する判断手段、
として機能させるための印影照合プログラム。
【請求項２】
前記コンピュータを、前記印影入力手段が入力した印影画像データから、前記印鑑枠抽出手段が抽出した印鑑枠相当部分の内周に接続する印鑑枠内周接続線を抽出する印鑑枠内周接続線抽出手段として更に機能させ、
前記判断手段は、前記印鑑枠外周接続線抽出手段が印鑑枠外周接続線を抽出し、前記印鑑枠内周接続線抽出手段が印鑑枠内周接続線を抽出した場合、前記印影入力手段が入力した印影画像データを、データベースに登録された登録印影画像と照合するための照合印影画像として適切でないと判断することを特徴とする請求項１に記載の印影照合プログラム。
【請求項３】
前記コンピュータを、前記印鑑枠外周接続線抽出手段が抽出した印鑑枠外周接続線と前記印鑑枠内周接続線抽出手段が抽出した印鑑枠内周接続線とによって、前記印鑑枠抽出手段が抽出した印鑑枠相当部分を貫通する印鑑枠貫通線を抽出する印鑑枠貫通線抽出手段として更に機能させ、
前記判断手段は、前記印鑑枠貫通線抽出手段が印鑑枠貫通線を抽出した場合、前記印影入力手段が入力した印影画像データを、データベースに登録された登録印影画像と照合するための照合印影画像として適切でないと判断することを特徴とする請求項２に記載の印影照合プログラム。
【請求項４】
前記コンピュータを、前記印鑑枠貫通線抽出手段が抽出した２本の印鑑枠貫通線を互いに延長することにより、前記印鑑枠抽出手段が抽出した印鑑枠相当部分を横断する１本の印鑑枠貫通線を形成する印鑑枠横断線形成手段として更に機能させ、
前記判断手段は、前記印鑑枠横断線形成手段が印鑑枠貫通線を形成した場合、前記印影入力手段が入力した印影画像データを、データベースに登録された登録印影画像と照合するための照合印影画像として適切でないと判断することを特徴とする請求項３に記載の印影照合プログラム。
【請求項５】
前記印鑑枠横断線形成手段は、互いに交差しない又は互いに交差する２本の印鑑枠横断線を形成することを特徴とする請求項４に記載の印影照合プログラム。
【請求項６】
前記コンピュータを、前記判断手段が適切でないと判断しなかった照合印影画像と前記データベースに登録された登録印影画像とを照合する照合手段として更に機能させるための請求項１乃至５の何れか１項に印影照合プログラム。
【請求項７】
画像読取装置で読み取った媒体上に押印された印鑑の印影を印影画像データとして入力する印影入力手段と、
前記印影入力手段が入力した印影画像データから、円形状検出処理を用いて印鑑枠相当部分を抽出する印鑑枠抽出手段と、
前記印影入力手段が入力した印影画像データから、前記印鑑枠抽出手段が抽出した印鑑枠相当部分の外周に接続する印鑑枠外周接続線を抽出する印鑑枠外周接続線抽出手段と、
前記印鑑枠外周接続線抽出手段が印鑑枠外周接続線を抽出した場合、前記印影入力手段が入力した印影画像データを、データベースに登録された登録印影画像と照合するための照合印影画像として適切でないと判断する判断手段と、
を備えることを特徴とする印影照合装置。
【請求項８】
前記印影入力手段が入力した印影画像データから、前記印鑑枠抽出手段が抽出した印鑑枠相当部分の内周に接続する印鑑枠内周接続線を抽出する印鑑枠内周接続線抽出手段を更に備え、
前記判断手段は、前記印鑑枠外周接続線抽出手段が印鑑枠外周接続線を抽出し、前記印鑑枠内周接続線抽出手段が印鑑枠内周接続線を抽出した場合、前記印影入力手段が入力した印影画像データを、データベースに登録された登録印影画像と照合するための照合印影画像として適切でないと判断することを特徴とする請求項７に記載の印影照合装置。
【請求項９】
前記印鑑枠外周接続線抽出手段が抽出した印鑑枠外周接続線と前記印鑑枠内周接続線抽出手段が抽出した印鑑枠内周接続線とによって、前記印鑑枠抽出手段が抽出した印鑑枠相当部分を貫通する印鑑枠貫通線を抽出する印鑑枠貫通線抽出手段を更に備え、
前記判断手段は、前記印鑑枠貫通線抽出手段が印鑑枠貫通線を抽出した場合、前記印影入力手段が入力した印影画像データを、データベースに登録された登録印影画像と照合するための照合印影画像として適切でないと判断することを特徴とする請求項８に記載の印影照合装置。
【請求項１０】
前記印鑑枠貫通線抽出手段が抽出した２本の印鑑枠貫通線を互いに延長することにより、前記印鑑枠抽出手段が抽出した印鑑枠相当部分を横断する１本の印鑑枠貫通線を形成する印鑑枠横断線形成手段を更に備え、
前記判断手段は、前記印鑑枠横断線形成手段が印鑑枠貫通線を形成した場合、前記印影入力手段が入力した印影画像データを、データベースに登録された登録印影画像と照合するための照合印影画像として適切でないと判断することを特徴とする請求項９に記載の印影照合装置。
【請求項１１】
印影照合装置のコンピュータによって実行される印鑑照合方法であって、
画像読取装置で読み取った媒体上に押印された印鑑の印影を印影画像データとして入力し、
前記入力した印影画像データから、円形状検出処理を用いて印鑑枠相当部分を抽出し、
前記入力した印影画像データから、前記抽出した印鑑枠相当部分の外周に接続する印鑑枠外周接続線を抽出し、
印鑑枠外周接続線を抽出した場合、前記入力した印影画像データを、データベースに登録された登録印影画像と照合するための照合印影画像として適切でないと判断する、
ことを特徴とする印影照合方法。
【発明の詳細な説明】
【技術分野】
【０００１】
本発明は、銀行等の金融機関又は行政機関における顧客等の印鑑の印影照合を行うための印影照合プログラム、印影照合装置及び印影照合方法に関し、特に、押印された２個以上の印影の中から照合対象である印影を適切に判断することが可能な印影照合プログラム、印影照合装置及び印影照合方法に関する。
【背景技術】
【０００２】
従来、紙文書の真正性を保証する手段として、印鑑の押印によって得られる印影（印章）が用いられている。例えば銀行において顧客が小切手などによる払い戻しを求める場合、小切手に押印されている印影が予め登録された登録印の印影と一致しているか否かを照合することにより、その小切手の真正性を確認する。
【０００３】
近年、この照合には、コンピュータを利用した印影照合装置を使用している。このような印影照合装置は、スキャナ等の入力装置から読み込んだ画像データから印鑑の印影部分を照合印影画像として抽出する（例えば、特許文献１、２、３参照。）。そして、照合印影画像と予めデータベース等に登録した登録印影画像とを比較することで、照合印影画像と登録印影画像とが同一の印鑑から得られた印影であるか否かを判別している（例えば、特許文献３参照。）。
【０００４】
ところで、押印された印影が不鮮明であった場合等、ボールペン等の筆記具を用いて印影に×（バツ印）や二重線等の取消し線を重ね書きし、鮮明な印影を新たに押印し直すことがある。このような場合、印影が２個又は２個以上押印さているので「２個印」と言うことがある。
【０００５】
２個印が押印された場合に上述のような印影照合装置で印影照合を行うと、登録印影画像の照合対象である照合印影画像として、取消し線が重ね書きされた印影を含む２個又は２個以上の印影が抽出される。そして、抽出した全ての照合印影画像の印鑑枠の画素を順に登録印影画像の印鑑枠の画素と比較し、画素の一致率の最も高い照合印影画像を登録印影画像と印影照合を行う照合印影画像として出力（画面表示）する。
【先行技術文献】
【特許文献】
【０００６】
【特許文献１】特開平０６−２９０３０２号公報
【特許文献２】特開２００５−０９２５４３号公報
【特許文献３】特開２００９−２１７３０８号公報
【発明の概要】
【発明が解決しようとする課題】
【０００７】
しかしながら、２個印が押印された場合に上述のような印影照合装置で印影照合を行うと、印鑑枠の画素の一致率の最も高い照合印影画像を登録印影画像と印影照合を行う照合印影画像として出力するので、取消し線の重ね書きされた印影が照合印影画像として抽出されてしまうことがあり、正しい印影照合が行われないことがある、という問題点があった。
【０００８】
このように誤った印影、すなわち、取消し線の重ね書きされた印影が照合印影画像として抽出されてしまった場合には、印影照合装置のオペレータが正しい印影、すなわち、押印し直した印影を照合印影画像として指示する必要が生じてしまっていた。
【０００９】
本発明は、上述のような実状に鑑みたものであり、２個印が押印されている場合であっても、取消し線が重ね書きされた印影ではなく、押印し直した印影を正しい照合印影画像として抽出することで、印影照合の照合率を向上させることが可能な印影照合プログラム、印影照合装置及び印影照合方法を提供することを目的とする。
【課題を解決するための手段】
【００１０】
本発明は、上記課題を解決するため、下記のような構成を採用した。
すなわち、本発明の一態様によれば、本発明の印影照合プログラムは、印影照合装置のコンピュータを、画像読取装置で読み取った媒体上に押印された印鑑の印影を印影画像データとして入力する印影入力手段、前記印影入力手段が入力した印影画像データから、円形状検出処理を用いて印鑑枠相当部分を抽出する印鑑枠抽出手段、前記印影入力手段が入力した印影画像データから、前記印鑑枠抽出手段が抽出した印鑑枠相当部分の外周に接続する印鑑枠外周接続線を抽出する印鑑枠外周接続線抽出手段、前記印鑑枠外周接続線抽出手段が印鑑枠外周接続線を抽出した場合、前記印影入力手段が入力した印影画像データを、データベースに登録された登録印影画像と照合するための照合印影画像として適切でないと判断する判断手段として機能させるための印影照合プログラムである。
【００１１】
また、本発明の印影照合プログラムは、前記コンピュータを、前記印影入力手段が入力した印影画像データから、前記印鑑枠抽出手段が抽出した印鑑枠相当部分の内周に接続する印鑑枠内周接続線を抽出する印鑑枠内周接続線抽出手段として更に機能させ、前記判断手段が、前記印鑑枠外周接続線抽出手段が印鑑枠外周接続線を抽出し、前記印鑑枠内周接続線抽出手段が印鑑枠内周接続線を抽出した場合、前記印影入力手段が入力した印影画像データを、データベースに登録された登録印影画像と照合するための照合印影画像として適切でないと判断することが望ましい。
【００１２】
また、本発明の印影照合プログラムは、前記コンピュータを、前記印鑑枠外周接続線抽出手段が抽出した印鑑枠外周接続線と前記印鑑枠内周接続線抽出手段が抽出した印鑑枠内周接続線とによって、前記印鑑枠抽出手段が抽出した印鑑枠相当部分を貫通する印鑑枠貫通線を抽出する印鑑枠貫通線抽出手段として更に機能させ、前記判断手段が、前記印鑑枠貫通線抽出手段が印鑑枠貫通線を抽出した場合、前記印影入力手段が入力した印影画像データを、データベースに登録された登録印影画像と照合するための照合印影画像として適切でないと判断することが望ましい。
【００１３】
また、本発明の印影照合プログラムは、前記コンピュータを、前記印鑑枠貫通線抽出手段が抽出した２本の印鑑枠貫通線を互いに延長することにより、前記印鑑枠抽出手段が抽出した印鑑枠相当部分を横断する１本の印鑑枠貫通線を形成する印鑑枠横断線形成手段として更に機能させ、前記判断手段が、前記印鑑枠横断線形成手段が印鑑枠貫通線を形成した場合、前記印影入力手段が入力した印影画像データを、データベースに登録された登録印影画像と照合するための照合印影画像として適切でないと判断することが望ましい。
【００１４】
また、本発明の印影照合プログラムは、前記印鑑枠横断線形成手段が、互いに交差しない又は互いに交差する２本の印鑑枠横断線を形成することが望ましい。
【００１５】
また、本発明の印影照合プログラムは、前記コンピュータを、前記判断手段が適切でないと判断しなかった照合印影画像と前記データベースに登録された登録印影画像とを照合する照合手段として更に機能させることが望ましい。
【００１６】
また、本発明の一態様によれば、本発明の印影照合装置は、画像読取装置で読み取った媒体上に押印された印鑑の印影を印影画像データとして入力する印影入力手段と、前記印影入力手段が入力した印影画像データから、円形状検出処理を用いて印鑑枠相当部分を抽出する印鑑枠抽出手段と、前記印影入力手段が入力した印影画像データから、前記印鑑枠抽出手段が抽出した印鑑枠相当部分の外周に接続する印鑑枠外周接続線を抽出する印鑑枠外周接続線抽出手段と、前記印鑑枠外周接続線抽出手段が印鑑枠外周接続線を抽出した場合、前記印影入力手段が入力した印影画像データを、データベースに登録された登録印影画像と照合するための照合印影画像として適切でないと判断する判断手段とを備えることを特徴とする。
【００１７】
また、本発明の印影照合装置は、前記印影入力手段が入力した印影画像データから、前記印鑑枠抽出手段が抽出した印鑑枠相当部分の内周に接続する印鑑枠内周接続線を抽出する印鑑枠内周接続線抽出手段を更に備え、前記判断手段が、前記印鑑枠外周接続線抽出手段が印鑑枠外周接続線を抽出し、前記印鑑枠内周接続線抽出手段が印鑑枠内周接続線を抽出した場合、前記印影入力手段が入力した印影画像データを、データベースに登録された登録印影画像と照合するための照合印影画像として適切でないと判断することが望ましい。
【００１８】
また、本発明の印影照合装置は、前記印鑑枠外周接続線抽出手段が抽出した印鑑枠外周接続線と前記印鑑枠内周接続線抽出手段が抽出した印鑑枠内周接続線とによって、前記印鑑枠抽出手段が抽出した印鑑枠相当部分を貫通する印鑑枠貫通線を抽出する印鑑枠貫通線抽出手段を更に備え、前記判断手段が、前記印鑑枠貫通線抽出手段が印鑑枠貫通線を抽出した場合、前記印影入力手段が入力した印影画像データを、データベースに登録された登録印影画像と照合するための照合印影画像として適切でないと判断することが望ましい。
【００１９】
また、本発明の印影照合装置は、前記印鑑枠貫通線抽出手段が抽出した２本の印鑑枠貫通線を互いに延長することにより、前記印鑑枠抽出手段が抽出した印鑑枠相当部分を横断する１本の印鑑枠貫通線を形成する印鑑枠横断線形成手段を更に備え、前記判断手段が、前記印鑑枠横断線形成手段が印鑑枠貫通線を形成した場合、前記印影入力手段が入力した印影画像データを、データベースに登録された登録印影画像と照合するための照合印影画像として適切でないと判断することが望ましい。
【００２０】
また、本発明の一態様によれば、本発明の印影照合方法は、印影照合装置のコンピュータによって実行される印鑑照合方法であって、画像読取装置で読み取った媒体上に押印された印鑑の印影を印影画像データとして入力し、前記入力した印影画像データから、円形状検出処理を用いて印鑑枠相当部分を抽出し、前記入力した印影画像データから、前記抽出した印鑑枠相当部分の外周に接続する印鑑枠外周接続線を抽出し、印鑑枠外周接続線を抽出した場合、前記入力した印影画像データを、データベースに登録された登録印影画像と照合するための照合印影画像として適切でないと判断することを特徴とする。
【発明の効果】
【００２１】
本発明は、２個印が押印されている場合であっても、取消し線が重ね書きされた印影ではなく、押印し直した印影を正しい照合印影画像として抽出することで、印影照合の照合率を向上させることできる、という効果を奏する。
【図面の簡単な説明】
【００２２】
【図１】本発明を適用した印影照合装置を備えるシステム構成図である。
【図２】本発明を適用した印鑑照合装置のハードウェア構成図である。
【図３】本発明を適用した印鑑照合装置の機能ブロック図である。
【図４】本発明を適用した印影照合処理の流れを示すフローチャートである。
【図５】印影照合処理のサブルーチン「印鑑枠外周接続線抽出処理」の流れを示すフローチャートである。
【図６】「印鑑枠外周接続線抽出処理」の具体例を説明するための図である。
【図７】印影照合処理のサブルーチン「印鑑枠内周接続線抽出処理」の流れを示すフローチャートである。
【図８】「印鑑枠内周接続線抽出処理」の具体例を説明するための図である。
【図９】印影照合処理のサブルーチン「印鑑枠貫通線抽出処理」の流れを示すフローチャートである。
【図１０】「印鑑枠貫通線抽出処理」の具体例を説明するための図である。
【図１１】印影照合処理のサブルーチン「印鑑枠横断線形成処理」の流れを示すフローチャートである。
【図１２】「印鑑枠横断線形成処理」の具体例を説明するための図である。
【図１３】２個印が押印された帳票の例を示す図である。
【図１４】印影画像データとして切り出された２個印の例を示す図である。
【図１５】取消し線の他の例を示す図である。
【発明を実施するための形態】
【００２３】
以下、本発明の実施の形態について、図面を参照しながら詳細に説明する。
図１は、本発明を適用した印影照合装置を備えるシステム構成図である。
【００２４】
図１において、印影照合システム１は、印影照合装置１０、印影照合装置１０と接続された画像読取装置２０及び登録印影データベース３０を備える。ここで、本発明の印影照合システム１は、例えば金融機関の届印の照合などに用いられている。
【００２５】
印影照合装置１０は、例えば、ワークステーション、サーバ、パーソナルコンピュータ等のコンピュータの機能を備えており、本発明を適用した印影照合処理を実行する。印影照合処理については、詳細を後述する。画像読取装置２０は、例えば、画像スキャナであり、印鑑の押印により印影が形成された印鑑票等を光学的に読み取り、読み取った画像データを印影照合装置１０に出力する。登録印影データベース３０は、例えば、ハードディスク装置であり、印影照合装置１０の印影照合処理によって照合する登録印影画像を口座番号等と対応づけて格納する。
【００２６】
図２は、本発明を適用した印鑑照合装置のハードウェア構成図である。
図２において、印鑑照合装置１０は、ＣＰＵ（Central Processing Unit）１１、入力装置１２、出力装置１３、ＲＯＭ（Read Only Memory）１４、ＲＡＭ（Random Access Memory）１５、インターフェース（Ｉ／Ｆ）１６がバス１７に接続されて構成されている。入力装置１２は、例えば、キーボード、ジョイスティック、ライトペン、マウス、タッチパッド、タッチパネル、トラックボール等、各種のデータや信号等を入力する。出力装置１３は、例えば、ＬＣＤ（Liquid Cristal Display）等の各種ディスプレイ、プリンタ等、画像やその他の情報を出力する。ＲＯＭ１４は、印鑑照合装置１０において実行する処理を実行するプログラムの他、印鑑照合装置１０の各機能を制御し実行するための制御プログラム及びテーブルデータなどを収納する。ＲＡＭ１５は、出力装置１３用のフレームバッファや一部のアプリケーションプログラム等を格納する。インターフェース１６は、ＵＳＢ（Universal Serial Bus）等のシリアルインターフェースやイーサネット（登録商標）等のパラレルインターフェース等、外部機器と接続するためのユニットである。ＣＰＵ１１は、これらの各部を制御している。
【００２７】
図３は、本発明を適用した印鑑照合装置の機能ブロック図である。
図３において、印鑑照合装置１０は、画像入力部１０１、印影抽出部１０２、印影出力部１０３、印鑑枠抽出部１０４、印鑑枠外周接続線抽出部１０５、印鑑枠内周接続線抽出部１０６、印鑑枠貫通線抽出部１０７、印鑑枠横断線形成部１０８、判断部１０９、照合部１１０、登録印影読出部１１１及び登録印影出力部１１２を備える。
【００２８】
画像入力部１０１は、画像スキャナ等で読み取った画像データを印影照合装置１０に入力する。印影抽出部１０２は、画像入力部１０１で入力された画像データから、印鑑票の押印枠等の印影以外の画像データを、公知の印影抽出処理を用いて除去し、印影のみの画像データを抽出する。これらの画像入力部１０１及び印影抽出部１０２が印影入力部として機能することで、画像読取装置２０で読み取った媒体上に押印された印鑑の印影を、印影画像データとして印影照合装置１０に入力する。なお、印影入力部は、既に押印枠等が除去され印影のみが抽出された画像データを、メモリから読み込んで印影照合装置１０に入力するようにしてもよい。
【００２９】
印影出力部１０３は、印影入力部によって入力した印影の画像データを、出力装置１３に出力する。例えば、ディスプレイの画面に表示する。
【００３０】
印鑑枠抽出部１０４は、スキャナ等の画像読取装置２０で読み取った画像データであって、帳票等の媒体に押印された読取印画像データから、前述のように押印枠を除去した画像データを対象にして、公知の円形状検出処理等の外枠検出処理を用いて印鑑枠相当部分を抽出する。すなわち、前記印影入力部によって入力した読取印画像データを対象にして、公知の円形状検出処理等の外枠検出処理を用いて印鑑枠相当部分を抽出する。抽出した印鑑枠相当部分の画像データは、ＲＡＭ１５に格納しておく。
【００３１】
印鑑枠外周接続線抽出部１０５は、前記印影入力部が入力した印影画像データから、前記印鑑枠抽出部１０４が抽出した印鑑枠相当部分の外周に接続する線を抽出する。この線を印鑑枠外周接続線と称する。
【００３２】
印鑑枠内周接続線抽出部１０６は、前記印影入力部が入力した印影画像データから、前記印鑑枠抽出部１０４が抽出した印鑑枠相当部分の内周に接続する線を抽出する。この線を印鑑枠内周接続線と称する。
【００３３】
印鑑枠貫通線抽出部１０７は、前記印鑑枠外周接続線抽出部１０５が抽出した印鑑枠外周接続線と前記印鑑枠内周接続線抽出部１０６が抽出した印鑑枠内周接続線とによって、前記印鑑枠抽出部１０４が抽出した印鑑枠相当部分を貫通する線を抽出する。この線を印鑑枠貫通線と称する。
【００３４】
印鑑枠横断線形成部１０８は、前記印鑑枠貫通線抽出部１０７が抽出した２本の印鑑枠貫通線を互いに延長することにより、前記印鑑枠抽出部１０４が抽出した印鑑枠相当部分を横断する１本の線を形成する。この線を印鑑枠貫通線と称する。前記印鑑枠貫通線抽出部１０７の抽出した印鑑枠貫通線が４本の場合、前記印鑑枠横断線形成部１０８は、２本の印鑑枠横断線を形成する。これら２本の印鑑枠横断線は、互いに交差しない略平行線のような場合もあれば、互いに交差する×（バツ）印のような場合もある。
【００３５】
そして、判断部１０９は、前記印鑑枠外周接続線抽出部１０５が印鑑枠外周接続線を抽出した場合、前記印影入力部が入力した印影画像データを、登録印影データベース３０に登録された登録印影画像と照合するための照合印影画像として適切でないと判断する。ここで、登録印影画像と照合するための照合印影画像として適切でないとは、押印された印影が不鮮明であった場合等、ボールペン等の筆記具を用いて印影に×（バツ印）や二重線等の取消し線を重ね書きした印影の画像のことをいう。
【００３６】
また、前記判断部１０９は、前記印鑑枠外周接続線抽出部１０５が印鑑枠外周接続線を抽出し、更に前記印鑑枠内周接続線抽出部１０６が印鑑枠内周接続線を抽出した場合、前記印影入力部が入力した印影画像データを、登録印影データベース３０に登録された登録印影画像と照合するための照合印影画像として適切でないと判断する。若しくは、前記判断部１０９は、前記印鑑枠貫通線抽出部１０７が印鑑枠貫通線を抽出した場合、前記印影入力部が入力した印影画像データを、登録印影データベース３０に登録された登録印影画像と照合するための照合印影画像として適切でないと判断する。若しくは、前記判断部１０９は、前記印鑑枠横断線形成部１０８が印鑑枠貫通線を形成した場合、前記印影入力部が入力した印影画像データを、登録印影データベース３０に登録された登録印影画像と照合するための照合印影画像として適切でないと判断する。
【００３７】
照合部１１０は、前記判断部１０９が適切でないと判断しなかった印影画像データと前記登録印影データベース３０に登録された登録印影画像とを照合する。その際、登録印影読出部１１１は、対応づけて格納された口座番号等に基づいて、登録印影データベース３０に登録された登録印影画像を読み出し、照合部１１０へ登録印影画像を渡す。
【００３８】
登録印影出力部１１２は、登録印影読出部１１１が読み出した登録印影画像を、照合部１１０とは別に出力装置１３に出力（例えば、ディスプレイの画面に表示）する。
【００３９】
次に、前述のような構成の印影照合装置１０のコンピュータが実行する印影照合処理について詳細を説明する。
【００４０】
図４は、本発明を適用した印影照合処理の流れを示すフローチャートである。
印影照合処理は、上述したように抽出した印影のみの画像データを対象に実行するが、このような印影画像データが複数抽出された場合には、抽出した印影画像データ（候補画像）に対して繰り返し処理を実行する。
【００４１】
本印影照合処理の特徴は、２個印が押印されている場合であっても、取消し線が重ね書きされた印影を照合印影画像の対象から外し、押印し直した印影を正しい照合印影画像として抽出することである。よって、これから説明するサブルーチン「印鑑枠外周接続線抽出処理」、「印鑑枠内周接続線抽出処理」、「印鑑枠貫通線抽出処理」及び「印鑑枠横断線形成処理」のうち全てを実行する必要はなく、「印鑑枠外周接続線抽出処理」のみで照合印影画像の抽出を終了してもよいし、「印鑑枠外周接続線抽出処理」に続き「印鑑枠内周接続線抽出処理」を実行してから照合印影画像の抽出を終了してもよい。更に、引き続き「印鑑枠貫通線抽出処理」を実行してから照合印影画像の抽出を終了してもよい。
【００４２】
まず、ステップＳ４０１において、サブルーチン「印鑑枠外周接続線抽出処理」を実行する。「印鑑枠外周接続線抽出処理」は、印影画像データから公知の印影抽出処理を用いて印鑑枠相当部分を抽出し、その印鑑枠相当部分の外周に接続する印鑑枠外周接続線を抽出する。「印鑑枠外周接続線抽出処理」の詳細について、図５及び図６を用いて説明する。
【００４３】
図５は、印影照合処理のサブルーチン「印鑑枠外周接続線抽出処理」の流れを示すフローチャートであり、図６は、「印鑑枠外周接続線抽出処理」の具体例を説明するための図である。
【００４４】
「印鑑枠外周接続線抽出処理」は、印鑑枠相当部分６０１の外周を１周するまで図５のステップＳ５０１乃至ステップＳ５０４を繰り返すことにより、外周に接続する印鑑枠外周接続線６０２を抽出する。
【００４５】
まず、図５のステップＳ５０１において、図６に示したように、外周に接続する所定数の連続ドット、例えば５ドット以上の連続したドット列が存在するか否かを、外周の線上を１ドットずつサーチする。
【００４６】
そして、図５のステップＳ５０２において、外周に接続する所定数の連続したドット列が存在すると判断された場合（ステップＳ５０２：Ｙｅｓ）、ステップＳ５０３において、図６に示したように、上記連続したドット列のサーチの進行方向に、所定数の連続ドット、例えば２ドット以上の連続したドット列が存在するか否かを判断する。
【００４７】
図５のステップＳ５０３で所定数の連続したドット列が存在すると判断された場合（ステップＳ５０３：Ｙｅｓ）、ステップＳ５０４において、これらのドット列を印鑑枠外周接続線６０２として位置情報、方向情報、長さ情報等の印鑑枠外周接続線情報をＲＡＭ１５に格納しておく。
【００４８】
次に、図４のステップＳ４０３において、サブルーチン「印鑑枠内周接続線抽出処理」を実行する。「印鑑枠内周接続線抽出処理」は、印鑑枠相当部分６０１の内周に接続する印鑑枠内周接続線８０１を抽出する。「印鑑枠内周接続線抽出処理」の詳細について、図７及び図８を用いて説明する。
【００４９】
図７は、印影照合処理のサブルーチン「印鑑枠内周接続線抽出処理」の流れを示すフローチャートであり、図８は、「印鑑枠内周接続線抽出処理」の具体例を説明するための図である。
【００５０】
「印鑑枠内周接続線抽出処理」は、印鑑枠相当部分６０１の内周を１周するまで図７のステップＳ７０１乃至ステップＳ７０４を繰り返すことにより、内周に接続する印鑑枠内周接続線８０１を抽出する。
【００５１】
まず、図７のステップＳ７０１において、図８に示したように、内周に接続する所定数の連続ドット、例えば８ドット以上の連続したドット列が存在するか否かを、内周の線上を１ドットずつサーチする。
【００５２】
そして、図７のステップＳ７０２において、内周に接続する所定数の連続したドット列が存在すると判断された場合（ステップＳ７０２：Ｙｅｓ）、ステップＳ７０３において、図８に示したように、上記連続したドット列のサーチの進行方向に、所定数の連続ドット、例えば３ドット以上の連続したドット列が存在するか否かを判断する。
【００５３】
図７のステップＳ７０３で所定数の連続したドット列が存在すると判断された場合（ステップＳ７０３：Ｙｅｓ）、ステップＳ７０４において、これらのドット列を印鑑枠内周接続線８０１として位置情報、方向情報、長さ情報等の印鑑枠内周接続線情報をＲＡＭ１５に格納しておく。
【００５４】
次に、図４のステップＳ４０５において、サブルーチン「印鑑枠貫通線抽出処理」を実行する。「印鑑枠貫通線抽出処理」は、ステップＳ４０１で抽出された印鑑枠外周接続線６０２とステップＳ４０３で抽出された印鑑枠内周接続線８０１とによって、印鑑枠相当部分６０１を貫通する線を抽出する。「印鑑枠内周接続線抽出処理」の詳細について、図９及び図１０を用いて説明する。
【００５５】
図９は、印影照合処理のサブルーチン「印鑑枠貫通線抽出処理」の流れを示すフローチャートであり、図１０は、「印鑑枠貫通線抽出処理」の具体例を説明するための図である。
【００５６】
まず、図９のステップＳ９０１において、図４のステップＳ４０１で抽出した印鑑枠外周接続線６０２とステップＳ４０３で抽出した印鑑枠内周接続線８０１とに基づいて、印鑑枠相当部分６０１を貫通する印鑑枠貫通線１００１を抽出する。すなわち、図１０に示すように、図５のステップＳ５０４及び図７のステップＳ７０４でＲＡＭ１５に格納された印鑑枠外周接続線情報と印鑑枠内周接続線情報に基づいて、印鑑枠貫通線１００１を抽出する。例えば、印鑑枠外周接続線６０２と印鑑枠内周接続線８０１の位置情報から、印鑑枠外周接続線６０２と印鑑枠内周接続線８０１が印鑑枠相当部分６０１を貫通する印鑑枠貫通線１００１であることを判断することができる。
【００５７】
そして、ステップＳ９０２において、ステップＳ９０１で抽出した印鑑枠貫通線１００１の位置情報、方向情報、長さ情報等の印鑑枠貫通線情報をＲＭＡ１５に格納しておく。
【００５８】
次に、図４のステップＳ４０７において、サブルーチン「印鑑枠横断線形成処理」を実行する。「印鑑枠横断線形成処理」は、ステップＳ４０５で抽出した２本の印鑑枠貫通線１００１を互いに延長することにより、印鑑枠相当部分６０１を横断する１本の線を形成する。「印鑑枠横断線形成処理」の詳細について、図１１及び図１２を用いて説明する。
【００５９】
図１１は、印影照合処理のサブルーチン「印鑑枠横断線形成処理」の流れを示すフローチャートであり、図１２は、「印鑑枠横断線形成処理」の具体例を説明するための図である。
【００６０】
まず、図１１のステップＳ１１０１において、図４のステップＳ４０５で抽出した２本の印鑑枠貫通線１００１に基づいて、印鑑枠相当部分６０１を横断する１本の線を形成する。例えば、２本の印鑑枠貫通線１００１の位置情報及び方向情報から、図１２に示すように、これらの印鑑枠貫通線１００１を互いに延長することにより、印鑑枠相当部分６０１を横断する１本の印鑑枠横断線１２０１を形成することを判断することができる。
【００６１】
そして、ステップＳ１１０２において、ステップＳ１１０１で形成した印鑑枠横断線１２０１の位置情報、方向情報、長さ情報等の印鑑枠横断線をＲＡＭ１５に格納しておく。
【００６２】
そして、図４のステップＳ４０８において、取消し線が重ね書きされた印影画像データであるか否かを判断する。すなわち、図５のステップＳ５０４で「印鑑枠外周接続線情報が記憶」されているか、又は図７のステップＳ７０４で「印鑑枠内周接続線情報が記憶」されているか、又は図９のステップＳ９０２で「印鑑枠貫通線情報が記憶」されているか、又は図１１のＳ１１０２で「印鑑枠横断線情報が記憶」されていれば、その印影画像データは取消し線が重ね書きされた印影画像データである。このステップＳ４０８は、ステップＳ４０１の「印鑑枠外周接続線抽出処理」のみで照合印影画像の抽出を終了した場合（ステップＳ４０２：Ｙｅｓ）、ステップＳ４０３の「印鑑枠内周接続線抽出処理」で照合印影画像の抽出を終了した場合（ステップＳ４０４：Ｙｅｓ）、ステップＳ４０５の「印鑑枠貫通線抽出処理」で照合印影画像の抽出を終了した場合（ステップＳ４０６：Ｙｅｓ）、ステップＳ４０７の「印鑑枠横断線形成処理」まで実行して照合印影画像の抽出を終了した場合の何れであっても実行される。
【００６３】
そして、ステップＳ４０８で取消し線が重ね書きされた印影画像データであると判断されなかった場合（ステップＳ４０８：Ｎｏ）、言い換えればその印影画像データは、押印し直した正しい照合印影画像であるので、ステップＳ４０９において、その印影画像データを照合印影画像の候補としてＲＡＭ１５に格納しておく。
【００６４】
このようにしてステップＳ４０１乃至ステップＳ４０９の処理を、抽出した印影画像データ（候補画像）に対して繰り返し実行する
次に、ステップＳ４１０において、照合印影画像として格納された印影画像データをＲＡＭ１５から読み出し、ステップＳ４１１において、登録印影データベース３０に登録された登録印影画像と照合する。ここでの照合は、従来の照合と同様である。
【００６５】
以上のようにして本実施の形態の印影照合装置１０のコンピュータは、印刷照合処理を実行する。
【００６６】
図１３は、２個印が押印された帳票の例を示す図であり、図１４は、印影画像データとして切り出された２個印の例を示す図である。
【００６７】
図１３において、「払戻請求書」の「お届け印」欄に２個印が押印されている。本実施の形態の印影照合装置１０は、このような「払戻請求書」の「お届け印」欄から、図１４の（Ａ）及び（Ｂ）のような２個の印影画像データを抽出する。そして、印影照合装置１０は、図１４の（Ａ）の印影画像データを、取消し線が重ね書きされた印影を照合印影画像の対象から外し、図１４の（Ｂ）の印影画像データを、押印し直した印影を正しい照合印影画像として抽出する。
【００６８】
図１５は、取消し線の他の例を示す図である。
上述の実施の形態の説明では、２本の線が互いに交差する×（バツ）印を取消し線として説明してきたが、図１５の（Ａ）のように、２本の線が互いに交差しない略平行線のような取消し線でもよいし、図１５の（Ｂ）のように、途中でループを形成するような１本の曲線でもよい。
【００６９】
以上、本発明の実施の形態を、図面を参照しながら説明してきたが、上述してきた本発明の実施の形態は、印影照合装置の一機能としてハードウェアまたはＤＳＰ（Digital Signal Processor）ボードやＣＰＵボードでのファームウェアもしくはソフトウェアにより実現することができる。
【００７０】
また、本発明が適用される印影照合装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００７１】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭやＲＡＭのメモリ、外部記録装置、可搬記録媒体を、印影照合装置に供給し、その印影照合装置のコンピュータがプログラムを読み出し実行することによっても、達成されることは言うまでもない。
【００７２】
この場合、可搬記録媒体等から読み出されたプログラム自体が本発明の新規な機能を実現することになり、そのプログラムを記録した可搬記録媒体等は本発明を構成することになる。
【００７３】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００７４】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【００７５】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施の形態の機能が実現され得る。
【００７６】
すなわち、本発明は、以上に述べた実施の形態に限定されるものではなく、本発明の要旨を逸脱しない範囲内で種々の構成または形状を取ることができる。
【符号の説明】
【００７７】
１          印影照合システム
１０        印影照合装置
１１        ＣＰＵ（Central Processing Unit）
１２        入力装置
１３        出力装置
１４        ＲＯＭ（Read Only Memory）
１５        ＲＡＭ（Random Access Memory）
１６        インターフェース（Ｉ／Ｆ）
１７        バス
２０        画像読取装置
３０        登録印影データベース
１０１      画像入力部
１０２      印影抽出部
１０３      印影出力部
１０４      印鑑枠抽出部
１０５      印鑑枠外周接続線抽出部
１０６      印鑑枠内周接続線抽出部
１０７      印鑑枠貫通線抽出部
１０８      印鑑枠横断線形成部
１０９      判断部
１１０      照合部
１１１      登録印影読出部
１１２      登録印影出力部
６０１      印鑑枠相当部分
６０２      印鑑枠外周接続線
８０１      印鑑枠内周接続線
１００１    印鑑枠貫通線
１２０１    印鑑枠横断線
【図１】
2013073579.tif 000003
【図２】
2013073579.tif 000004
【図３】
2013073579.tif 000005
【図４】
2013073579.tif 000006
【図５】
2013073579.tif 000007
【図７】
2013073579.tif 000008
【図９】
2013073579.tif 000009
【図１１】
2013073579.tif 000010
【図１２】
2013073579.tif 000011
【図６】
2013073579.tif 000012
【図８】
2013073579.tif 000013
【図１０】
2013073579.tif 000014
【図１３】
2013073579.tif 000015
【図１４】
2013073579.tif 000016
【図１５】
2013073579.tif 000017